(57)【要約】      （修正有）【課題】縫合糸を把持して、針付縫合糸を容易に取り出すことができるホルダを提供する。【解決手段】針付縫合糸１を伸張状態で挟み込み保持するために、二つ折りされた一方のベースパネル１１と他方のカバーパネル１２とを含む針付縫合糸ホルダ１０であって、ベースパネル１１の針対応位置に設けられた２条の切り込み１７ａ，１７ｂを針２が縫い取って通過することで針２を固定する針固定部１７と、ベースパネル１１の針首下２ａの縫合糸３の先端に対応する位置に設けられた縫合糸把持用のスリット１６とを有する。【選択図】図１
0003202168.tif 000002
【実用新案登録請求の範囲】
【請求項１】
針付縫合糸を伸張状態で挟み込み保持するために、二つ折りされた一方のベースパネルと他方のカバーパネルとを含み一枚の台紙から成る針付縫合糸のホルダであって、
ベースパネルの針対応位置に設けられた２条の切り込みから成り、この切り込みを針が縫い取って通過することで針を固定する針固定部と、
ベースパネルの針首下の縫合糸先端に対応する位置に設けられた縫合糸把持用のスリットと、
を有することを特徴とする針付縫合糸のホルダ。
【請求項２】
請求項１に記載の針付縫合糸のホルダであって、
ベースパネルには、ベースパネルと二つ折りされて針を覆う針カバーパネルが一体に設けられていることを特徴とする針付縫合糸のホルダ。
【請求項３】
請求項１または２に記載の針付縫合糸のホルダにおいて、
２条の切り込みは、縫合糸の伸張方向に対して傾斜し、かつ、縫合糸から針に向かって延びていることを特徴とする針付縫合糸のホルダ。
【請求項４】
請求項１から３のいずれか一項に記載の針付縫合糸のホルダにおいて、
スリットの近傍に配置され、針付縫合糸を挟み込む溝を有する保持部材を備えることを特徴とする針付縫合糸のホルダ。
【請求項５】
請求項１から４のいずれか一項に記載の針付縫合糸のホルダにおいて、
ベースパネルとカバーパネルとの折り目部分に、縫合糸切断用の複数の窓が形成されていることを特徴とする針付縫合糸のホルダ。
【考案の詳細な説明】
【技術分野】
【０００１】
本考案は、針付縫合糸のホルダに関し、特に、針付縫合糸をホルダから容易に取り外すことができる針付縫合糸のホルダに関する。
【背景技術】
【０００２】
針付縫合糸を保持する針付縫合糸のホルダとして、台座部と、台座部を覆う蓋部と、台座部に設けられ、針付縫合糸の針部分を刺し止めるスポンジとを備えるものが知られている。この針付縫合糸のホルダでは、スポンジに針付縫合糸の針部分を刺し止めて保持した後、蓋部を閉じて台座部を覆って針付縫合糸を保護している（例えば、特許文献１）。
【先行技術文献】
【特許文献】
【０００３】
【特許文献１】実用新案登録第３０９５２４０号
【考案の概要】
【考案が解決しようとする課題】
【０００４】
特許文献１に記載された針付縫合糸のホルダにおいて、針付縫合糸をホルダから取り外す場合、縫合糸を鉗子や持針器で把持して針付縫合糸を持ち上げるが、この際、針先が縫合糸に引きずられて動いてしまって針先がスポンジに引っ掛かることがあり、針付縫合糸のホルダからの取り外しに手間取ることがある。
【０００５】
一方、針を持針器等で把持して針先をスポンジから抜き取って、針付縫合糸をホルダから取り外すことが考えられる。この場合、縫合する際に、別の持針器等により針を縫合に適した位置に把持し直す必要がある。特に、把持されている状態の針では、次に把持する位置が限られ、場合によっては複数回把持し直すことがある。
【０００６】
そこで、本考案では、縫合糸を把持して、針付縫合糸をホルダから容易に取り出すことを目的とする。
【課題を解決するための手段】
【０００７】
本考案は、針付縫合糸を伸張状態で挟み込み保持するために、二つ折りされた一方のベースパネルと他方のカバーパネルとを含み一枚の台紙から成る針付縫合糸のホルダであって、ベースパネルの針対応位置に設けられた２条の切り込みから成り、この切り込みを針が縫い取って通過することで針を固定する針固定部と、ベースパネルの針首下の縫合糸先端に対応する位置に設けられた縫合糸把持用のスリットと、を有することを特徴とする。
【０００８】
また、ベースパネルには、ベースパネルと二つ折りされて針を覆う針カバーパネルが一体に設けられていることを特徴とする。また、２条の切り込みは、縫合糸の伸張方向に対して傾斜し、かつ、縫合糸から針に向かって延びていることを特徴とする。また、スリットの近傍に配置され、針付縫合糸を挟み込む溝を有する保持部材を備えることを特徴とする。また、ベースパネルとカバーパネルとの折り目部分に、縫合糸切断用の複数の窓が等間隔に形成されていることを特徴とする。
【考案の効果】
【０００９】
スリットの部分で縫合糸を把持して持ち上げると、針付縫合糸が持ち上げられる動作に応じて、針先が切り込みから抜去されるように針も持ち上げられるので、針先は切り込みに引っ掛かることなく切り込みから滑らかに外れる。このように、縫合糸を把持して持ち上げる動作によって、針付縫合糸をホルダから容易に取り外すことができる。また、縫合時に針を把持する場合も、把持する自由度が広がり針を把持しやすくなる。
【００１０】
また、本考案によれば、針カバーパネルによって針を覆うことにより、針を保護することができる。また、２条の切り込みは、縫合糸の伸張方向に対して傾斜し、かつ、縫合糸から針に向かって延びているので、針が持ち上げられたときに、切り込みからの針の抜去を滑らかに行うことができる。また、針付縫合糸を挟み込む溝を有する保持部材を備えているので、針付縫合糸をベースパネルに確実に保持することができる。また、ベースパネルとカバーパネルとの折り目部分に、縫合糸切断用の複数の窓が形成されているので、縫合糸を所望の長さに切断することが可能であり、縫合糸の長さ調整を容易に行うことができる。
【図面の簡単な説明】
【００１１】
【図１】針付縫合糸のホルダを開いた状態の平面図である。
【図２】針付縫合糸のホルダを閉じた状態の平面図である。
【図３】針近傍の拡大斜視図である。
【図４】縫合糸を持ち上げた状態を示す針近傍の拡大斜視図である。
【図５】図４の状態からさらに縫合糸を持ち上げた状態を示す針近傍の拡大斜視図である。
【考案を実施するための形態】
【００１２】
図面に基づき本考案の実施形態における針付縫合糸のホルダについて説明する。まず、本考案における針付縫合糸１について説明する。図１に示すように、針付縫合糸１は、湾曲形状の針２と、この針２の針首下２ａに接続された所定長さの縫合糸３とを備えている。なお、図１において、針首下２ａと縫合糸３との接続部を明確にするために便宜上黒点で示している。図３〜５においても同様である。
【００１３】
針付縫合糸１を保持する針付縫合糸ホルダ１０は、１枚の台紙から構成されており、針付縫合糸１が保持される長方形状のベースパネル１１と、針付縫合糸１を覆うカバーパネル１２と、針２が保持された部分を覆う針カバーパネル１３とを備えている。針付縫合糸１は、ベースパネル１１の長手方向の中心線Ｃに平行して保持されている。
【００１４】
ベースパネル１１は針付縫合糸１の長さよりも長く、ベースパネル１１の両端部には、針付縫合糸１の針２の針首下２ａと縫合糸３とを保持する保持部材１４，１５がそれぞれ設けられている。保持部材１４，１５は、ベースパネル１１の長手方向の中心線Ｃから一方側に偏った位置、すなわち、カバーパネル１２側に偏った位置にそれぞれ配置されている。
【００１５】
保持部材１４，１５は、例えば、発泡ポリウレタン製の直方体形状の小片であり、その表面には縫合糸３と平行する方向に溝１４ａ，１５ａが形成されている。保持部材１４の溝１４ａに針２の針首下２ａと縫合糸３の接続部が挟まれて保持され、保持部材１５の溝１５ａに縫合糸３の末端が挟まれて保持されている。つまり、針付縫合糸１は、保持部材１４，１５によってその両端部が保持されている。このように、保持部材１４，１５によって、針付縫合糸１をベースパネル１１に確実に保持することができる。
【００１６】
ベースパネル１１の保持部材１４の一方側に隣接した位置には、持針器により縫合糸３を直接把持するために縫合糸３を露出するＵ字状のスリット１６が形成されている。スリット１６は、ベースパネル１１における針首下２ａの縫合糸３の先端に対応する部分を切り欠いており、持針器により縫合糸３を把持可能な大きさを有するように、ベースパネル１１の端縁から中心線Ｃの近傍まで切り欠いている。
【００１７】
ベースパネル１１の保持部材１４の他方側に隣接した位置、すなわち、針２に対応する位置には、針２の針先が挿入される針固定部１７が形成されている。針固定部１７は、互いに平行な２条の切り込み１７ａ，１７ｂから構成されている。２条の切り込み１７ａ，１７ｂは、縫合糸３の延在方向（ベースパネル１１の中心線Ｃ）に対して傾斜し、スリット１６における縫合糸３から針２に向かって延びるように形成されている。
【００１８】
図３に示すように、２条の切り込み１７ａ，１７ｂの間のベースパネル１１を少し浮かせて、２条の切り込み１７ａ，１７ｂを針２で縫い取るように通過することによって、針２が切り込み１７ａ，１７ｂに固定される。
【００１９】
ベースパネル１１の針付縫合糸１が保持される側縁には、ベースパネル１１よりも短い長方形状のカバーパネル１２が設けられている。カバーパネル１２は、ベースパネル１１の一端からスリット１６の端までの長さを有し、ベースパネル１１と同じ幅を有する。
【００２０】
ベースパネル１１とカバーパネル１２との間には、折り目１８が形成されており、カバーパネル１２をベースパネル１１に向かって折り畳むことができる。カバーパネル１２を折り畳むことによって、ベースパネル１１の縫合糸３を覆って保護することができる。
【００２１】
ベースパネル１１とカバーパネル１２との境界部には、折り目１８に沿って複数の菱形形状の窓１９がそれぞれ形成されている。複数の窓１９は、それぞれ等間隔の位置に形成されている。
【００２２】
図２に示すように、ベースパネル１１とカバーパネル１２とを二つ折りしたとき、すなわち、カバーパネル１２によってベースパネル１１の縫合糸３を覆ったときに、この窓１９は三角形状となり、この窓１９から縫合糸３を視認することができる。カバーパネル１２の表面には、各窓１９に対応して図示しない目盛がそれぞれ表示されており、目盛に基づいて窓１９から視認できる縫合糸３を切断することで、縫合糸３を所望の長さとすることができ、縫合糸３の長さ調整を容易に行うことができる。なお、窓１９は等間隔でなくともよく、針２に近い側の間隔を徐々に狭くしてもよい。
【００２３】
また、カバーパネル１２を折り畳んだときに、ベースパネル１１とカバーパネル１２とが向かい合う縁には、切り込み深さが短い複数の切り込み１２ａ及び１１ａがそれぞれ形成されている。切り込み１２ａは、カバーパネル１２の端縁から直角に形成され、切り込み１１ａは、切り込み１２ａに対して斜めに傾斜して形成されている。これら切り込み１１ａ，１２ａは、カバーパネル１２を折り畳んだときに、互にかみ合ってカバーパネル１２をベースパネル１１に仮止めする。
【００２４】
ベースパネル１１の針２が保持される側縁には、ベースパネル１１と同じ幅を有する針カバーパネル１３が設けられている。ベースパネル１１と針カバーパネル１３との間には、折り目２０が形成されており、この折り目２０に沿って針カバーパネル１３をベースパネル１１に向かって折り畳むことができる。針カバーパネル１３によって針２を覆うことにより、針２を保護することができる。なお、針カバーパネル１３は必須ではなく、カバーパネル１２を伸ばして、針カバーパネル１３の代わりをさせてもよい。
【００２５】
図２に示すように、針カバーパネル１３は、折り畳んだときに、２条の切り込み１７ａ，１７ｂ、保持部材１４及びスリット１６を覆うことができる長さを有している。
【００２６】
図１に示すように、ベースパネル１１の長手方向の長さをＬ１、カバーパネル１２の長さをＬ２、針カバーパネル１３の長さをＬ３とすると、これらの関係は、Ｌ１−Ｌ２＜Ｌ３となっており、ベースパネル１１の長さＬ１からカバーパネル１２の長さＬ２を引いた長さよりも針カバーパネル１３の長さＬ３は僅かに長くなっている。このため、カバーパネル１２と針カバーパネル１３とを折り畳んだときに、カバーパネル１２と針カバーパネル１３とは一部が重なる。本実施形態では、図２に示すように、カバーパネル１２を折り畳んだ後に、針カバーパネル１３を折り畳む。このため、針カバーパネル１３が最上部に位置してカバーパネル１２の一部を覆っており、カバーパネル１２の浮き上がりやめくれ上がりを抑制することができる。
【００２７】
次に、針付縫合糸１の針付縫合糸ホルダ１０からの取り外しについて説明する。図示しない外包装から取り出した針付縫合糸ホルダ１０は、図２に示す状態となっている。まず、カバーパネル１２の図示しない目盛に基づいて、窓１９を介して縫合糸３を所望の長さに切断する。切断後、針カバーパネル１３を開くと、図３に示す状態となる。
【００２８】
図３において、スリット１６の部分で、例えば、図示しない鉗子や持針器で縫合糸３を把持して、図４中矢印Ａで示すように、縫合糸３を上方に持ち上げる。さらに、図４に示すように、縫合糸３を上方に持ち上げることによって、針２の針首下２ａと縫合糸３との接続部が、保持部材１４の溝１４ａから外れる。縫合糸３は切断されているので、この持ち上げ動作によって、縫合糸３の切断端はカバーパネル１２から引き出される。なお、縫合糸３が切断されていない場合には、縫合糸３の末端は、保持部材１５の溝１５ａから引き出される。
【００２９】
さらに、縫合糸３を持ち上げると、図５に示すように、針２は、その針先が２条の切り込み１７ａ，１７ｂに縫い込まれた状態で針首下２ａが持ち上げられ、この持ち上げに伴い、針２の針先が２条の切り込み１７ａ，１７ｂから滑らかに抜去される。
【００３０】
そして、縫合糸３が把持された状態で、針付縫合糸１を腹腔内に持ち込んで、ラパロ鉗子により針２を縫合に適した位置で把持し直して縫合を行う。
【００３１】
このように、縫合糸３を把持して持ち上げると、その持ち上げ動作に伴って、針２の針先が２条の切り込み１７ａ，１７ｂに引っ掛かることなく、針２の針先が２条の切り込み１７ａ，１７ｂから抜去されて、針付縫合糸１を容易に針付縫合糸ホルダ１０からの取り外すことができる。
【符号の説明】
【００３２】
１  針付縫合糸、２  針、２ａ  針首下、３  縫合糸、１０  針付縫合糸ホルダ、１１  ベースパネル、１１ａ，１２ａ，１７ａ，１７ｂ  切り込み、１２  カバーパネル、１３  針カバーパネル、１４，１５  保持部材、１４ａ，１５ａ  溝、１６  スリット、１７  針固定部、１８，２０  折り目、１９  窓。
【図１】
0003202168.tif 000003
【図２】
0003202168.tif 000004
【図３】
0003202168.tif 000005
【図４】
0003202168.tif 000006
【図５】
0003202168.tif 000007